(57)【要約】    【構成】  情報処理システム１０は画像形成装置１２を含み、画像形成装置には床センサ１４が接続される。床センサは、環境内に配置される画像形成装置、裁断機１８および事務机３２を検出するとともに、環境内に存在する人物の位置を検出する。人物が移動すると、床センサの出力に基づいて、当該人物の位置が追跡され、人物が近づいている画像形成装置、裁断機およびユーザ端末のような事務機器の状態が人物との位置関係に応じてあるべき状態に設定される。    【効果】  人物が事務機器を直接操作できる状態でなくても、事務機器をあるべき状態に設定することができるので、利便性を向上させることができる。【選択図】  図１
2018137589.tif 000002
【特許請求の範囲】
【請求項１】
画像形成装置自身が設置される場所において当該画像形成装置自身に対する人物の位置を追跡する追跡手段、
前記追跡手段によって追跡された人物の位置の一連の変化が前記人物が前記画像形成装置自身に向かって近づいていることを示す場合に、前記人物との位置関係に応じて前記画像形成装置自身のあるべき状態を決定する状態決定手段、および
前記画像形成装置自身の状態を前記状態決定手段によって決定されたあるべき状態に設定する設定手段を備える、画像形成装置。
【請求項２】
外部端末からの印刷データを受信する受信手段、および
前記設定手段によって前記あるべき状態として印刷可能な状態に設定され、所定の条件を満たす場合に、前記受信手段によって受信された印刷データに基づく印刷を実行する印刷実行手段をさらに備える、請求項１記載の画像形成装置。
【請求項３】
前記印刷実行手段によって印刷データに基づく印刷を実行したことに応じて、前記印刷データに対応するプレビュー画像を表示するプレビュー表示手段をさらに備える、請求項２記載の画像形成装置。
【請求項４】
前記追跡手段によって追跡された人物の位置の一連の変化に基づいて、前記人物の移動方向を検出する方向検出手段をさらに備え、
前記プレビュー表示手段は、前記方向検出手段によって検出された移動方向に上下方向が一致するように前記プレビュー画像を表示する、請求項３記載の画像形成装置。
【請求項５】
前記追跡手段によって追跡された人物が前記画像形成装置自身に向かってくる場合に、当該人物の視線方向を検出する視線方向検出手段をさらに備え、
前記プレビュー表示手段は、前記視線方向検出手段によって検出された視線方向に上下方向が一致するように前記プレビュー画像を表示する、請求項３記載の画像形成装置。
【請求項６】
前記画像形成装置自身が配置される環境に設けられる床センサをさらに備え、
前記追跡手段は、前記床センサの出力に基づいて前記人物の位置を追跡する、請求項１ないし５のいずれかに記載の画像形成装置。
【請求項７】
前記追跡手段は、前記床センサの出力に基づいて、前記環境における前記人物の位置を初期位置から追跡する、請求項６記載の画像形成装置。
【請求項８】
前記初期位置は、前記追跡手段によって追跡される人物の座席位置である、請求項７記載の画像形成装置。
【請求項９】
画像形成装置および当該画像形成装置と通信可能に接続されるサーバを備える情報処理システムであって、
前記サーバは、
前記画像形成装置が設置される場所において当該画像形成装置に対する人物の位置を追跡する追跡手段、
前記追跡手段によって追跡された人物の位置の一連の変化が前記人物が前記画像形成装置自身に向かって近づいていることを示す場合に、前記人物との位置関係に応じて前記画像形成装置自身のあるべき状態を決定する状態決定手段、および
前記画像形成装置自身の状態を前記状態決定手段によって決定されたあるべき状態に設定する設定手段を備える、情報処理システム。
【請求項１０】
コンピュータによって実行される情報処理プログラムであって、
前記コンピュータのプロセッサに、
事務機器が設置される場所において当該事務機器に対する人物の位置を追跡する追跡ステップ、
前記追跡ステップにおいて追跡した人物の位置の一連の変化が前記人物が前記事務機器に向かって近づいていることを示す場合に、前記人物との位置関係に応じて前記事務機器のあるべき状態を決定する状態決定ステップ、および
前記事務機器の状態を前記状態決定ステップにおいて決定したあるべき状態に設定する設定ステップを実行させる、情報処理プログラム。
【請求項１１】
（ａ）事務機器が設置される場所において当該事務機器に対する人物の位置を追跡するステップ、
（ｂ）前記ステップ（ａ）において追跡した人物の位置の一連の変化が前記人物が前記事務機器に向かって近づいていることを示す場合に、前記人物との位置関係に応じて前記事務機器のあるべき状態を決定するステップ、および
（ｃ）前記事務機器の状態を前記ステップ（ｂ）において決定したあるべき状態に設定するステップを含む、情報処理方法。
【発明の詳細な説明】
【技術分野】
【０００１】
この発明は、画像形成装置、情報処理システム、情報処理プログラムおよび情報処理方法に関し、特にたとえば、人物の位置の一連の変化に応じた状態に設定される、画像形成装置、情報処理システム、情報処理プログラムおよび情報処理方法に関する。
【背景技術】
【０００２】
この種の画像形成装置の一例が特許文献１に開示される。この特許文献１に開示される複写装置では、ＩＣカ−ドにより画像メモリに登録された画像データに基づく複写要求がなされると、ＣＰＵがＩＣカードによる複写要求有無を識別して画像メモリに登録された画像データに基づく複写要求可否を制御し、画像メモリ上の画像データの第三者による利用を制限させる。
【先行技術文献】
【特許文献】
【０００３】
【特許文献１】特開平５−１２２４７６号公報
【発明の概要】
【発明が解決しようとする課題】
【０００４】
しかし、特許文献１に開示された技術では、画像メモリ上の画像データを利用するためには、ＩＣカードを複写装置に挿入する必要がある。つまり、ユーザが複写装置を直接操作できる状況でなければ、画像データの印刷等を実行することができない。
【０００５】
それゆえに、この発明の主たる目的は、新規な、画像形成装置、情報処理システム、情報処理プログラムおよび情報処理方法を提供することである。
【０００６】
この発明の他の目的は、利便性を向上できる、画像形成装置、情報処理システム、情報処理プログラムおよび情報処理方法を提供することである。
【課題を解決するための手段】
【０００７】
第１の発明は、追跡手段、状態決定手段、および設定手段を備える、画像形成装置である。追跡手段は、画像形成装置自身が設置される場所において当該画像形成装置自身に対する人物の位置を追跡する。状態決定手段は、追跡手段によって追跡された人物の位置の一連の変化が人物が画像形成装置自身に向かって近づいていることを示す場合に、人物との位置関係に応じて画像形成装置自身のあるべき状態を決定する。設定手段は、画像形成装置自身の状態を状態決定手段によって決定されたあるべき状態に設定する。
【０００８】
第１の発明によれば、人物が画像形成装置に向かって近づく場合に、人物との位置関係に応じて画像形成装置自身の状態をあるべき状態に設定するので、利便性を向上させることができる。
【０００９】
第２の発明は、第１の発明に従属し、受信手段および印刷実行手段をさらに備える。受信手段は、外部端末からの印刷データを受信する。印刷実行手段は、設定手段によってあるべき状態として印刷可能な状態に設定され、所定の条件を満たす場合に、受信手段によって受信された印刷データに基づく印刷を実行する。
【００１０】
第２の発明は、印刷データを受信すると一旦保持し、印刷可能な状態に設定され、所定の条件を満たす場合に、印刷データに基づく印刷を実行するので、たとえば、印刷データを送信した人物が画像形成装置に近づいた場合に印刷を実行することができる。したがって、人物が近づいたことによってユーザ認証を行い、ユーザ認証に基づく印刷処理が可能である。
【００１１】
第３の発明は、第２の発明に従属し、プレビュー表示手段をさらに備える。プレビュー表示手段は、印刷実行手段によって印刷データに基づく印刷を実行したことに応じて、印刷データに対応するプレビュー画像を表示する。
【００１２】
第３の発明によれば、印刷データのプレビュー画像を表示するので、出力画像を見なくても、プレビュー画像によって印刷された内容を知ることができる。
【００１３】
第４の発明は、第３の発明に従属し、方向検出手段をさらに備える。方向検出手段は、追跡手段によって追跡された人物の位置の一連の変化に基づいて、人物の移動方向を検出する。たとえば、人物の直前の位置と現在の位置とから現在の移動方向が検出される。プレビュー表示手段は、方向検出手段によって検出された移動方向に上下方向が一致するようにプレビュー画像を表示する。
【００１４】
第４の発明によれば、向かってくる人物に見易いプレビュー画像を表示することができる。
【００１５】
第５の発明は、第３の発明に従属し、視線方向検出手段は、追跡手段によって追跡された人物が画像形成装置自身に向かってくる場合に、当該人物の視線方向を検出する。プレビュー表示手段は、視線方向検出手段によって検出された視線方向に上下方向が一致するようにプレビュー画像を表示する。
【００１６】
第５の発明においても、向かってくる人物に見易いプレビュー画像を表示することができる。
【００１７】
第６の発明は、第１ないし第５の発明に従属し、床センサをさらに備える。床センサは、画像形成装置自身が配置される環境に設けられる。追跡手段は、床センサの出力に基づいて人物の位置を追跡する。
【００１８】
第６の発明によれば、床センサを用いるので、人物の足に相当する大きさおよび形状の圧力の変化を検出することにより、人物を追跡することができる。また、特定の押圧形状を検出可能にすれば、画像形成装置自身が配置される環境に設置される他の設置物の配置位置を識別可能に知ることもできる。
【００１９】
第７の発明は、請求項６に従属し、追跡手段は、床センサの出力に基づいて、環境における人物の位置を初期位置から追跡する。
【００２０】
第７の発明によれば、初期位置からの一連の位置の変化を検出することができる。
【００２１】
第８の発明は、第７の発明に従属し、初期位置は、追跡手段によって追跡される人物の座席位置である。
【００２２】
第８の発明によれば、座席位置の事務机を使用する人物を識別可能に記憶しておければ、初期位置から人物の位置を追跡することにより、人物を特定することもできる。
【００２３】
第９の発明は、画像形成装置および当該画像形成装置と通信可能に接続されるサーバを備える情報処理システムであって、サーバは、画像形成装置が設置される場所において当該画像形成装置に対する人物の位置を追跡する追跡手段、追跡手段によって追跡された人物の位置の一連の変化が人物が画像形成装置自身に向かって近づいていることを示す場合に、人物との位置関係に応じて画像形成装置自身のあるべき状態を決定する状態決定手段、および画像形成装置自身の状態を状態決定手段によって決定されたあるべき状態に設定する設定手段を備える、情報処理システムである。
【００２４】
第１０の発明は、コンピュータによって実行される情報処理プログラムであって、コンピュータのプロセッサに、事務機器が設置される場所において当該事務機器に対する人物の位置を追跡する追跡ステップ、追跡ステップにおいて追跡した人物の位置の一連の変化が人物が事務機器に向かって近づいていることを示す場合に、人物との位置関係に応じて事務機器のあるべき状態を決定する状態決定ステップ、および事務機器の状態を状態決定ステップにおいて決定したあるべき状態に設定する設定ステップを実行させる、情報処理プログラムである。
【００２５】
第１１の発明は、情報処理方法であって、（ａ）事務機器が設置される場所において当該事務機器に対する人物の位置を追跡するステップ、（ｂ）ステップ（ａ）において追跡した人物の位置の一連の変化が人物が事務機器に向かって近づいていることを示す場合に、人物との位置関係に応じて事務機器のあるべき状態を決定するステップ、および（ｃ）事務機器の状態をステップ（ｂ）において決定したあるべき状態に設定するステップを含む、情報処理方法である。
【００２６】
第９ないし第１１の発明においても、第１の発明と同様に、利便性を向上させることができる。
【発明の効果】
【００２７】
この発明によれば、人物が画像形成装置に向かって近づく場合に、人物との位置関係に応じて画像形成装置自身の状態をあるべき状態に設定するので、人物が画像形成装置を直接操作できる状態でなくても、画像形成装置を適切に動作させることができる。このため、利便性を向上させることができる。
【図面の簡単な説明】
【００２８】
【図１】図１はこの発明の第１実施例である情報処理システムの構成の一例を示す図解図である。
【図２】図２は図１に画像形成装置の電気的な構成を示すブロック図である。
【図３】図３は図１に示す情報処理システムが適用される環境を俯瞰的に見た図解図である。
【図４】図４は図２に示す各事務機器と人物との位置関係を判断するために各事務機器に設定される範囲を説明するための図解図である。
【図５】図５（Ａ）は人物情報のテーブルを示す図解図であり、図５（Ｂ）は機器情報のテーブルを示す図解図であり、図５（Ｃ）は状態情報のテーブルを示す図解図である。
【図６】図６は図１に示す画像形成装置のＲＡＭのメモリマップの一例を示す図解図である。
【図７】図７は図６に示すデータ記憶領域の具体的な内容を説明するための図解図である。
【図８】図８は図１に示す画像形成装置のＣＰＵの状態制御処理の一例の一部を示すフロー図である。
【図９】図９は図１に示す画像形成装置のＣＰＵの状態制御処理の第２の一部であって、図８に後続するフロー図である。
【図１０】図１０は図１に示す画像形成装置のＣＰＵの状態制御処理の第３の一部であって、図８に後続するフロー図である。
【図１１】図１１は図１に示す画像形成装置のＣＰＵの状態制御処理の第４の一部であって、図１０に後続するフロー図である。
【図１２】図１２は図１に示す画像形成装置のＣＰＵの状態制御処理の第５の一部であって、図８に後続するフロー図である。
【図１３】図１３は図１に示す情報処理システムの他の適用例を示す図解図である。
【図１４】図１４は第２実施例における画像形成装置の外観構成の一例を示す図解図である。
【図１５】図１５は図１４に示すセンサ内蔵液晶パネルの一部の断面の一例を示す断面図である。
【図１６】図１６は図１４に示すセンサ内蔵液晶パネルをタッチ操作する場合のタッチ位置を検出する方法の一例を説明するための図解図である。
【図１７】図１７は図１４に示すセンサ内蔵液晶パネルをタッチ操作する場合のタッチ位置を検出する方法の他の例を説明するための図解図である。
【図１８】図１８（Ａ）は第２実施例における画像形成装置に設けられるカメラの画角およびカメラで撮影される人物の視線を説明するための図解図であり、図１８（Ｂ）は人物の視線に応じたプレビュー画像の表示例を示す図解図である。
【図１９】図１９は第３実施例における情報処理システムの構成の一例を示す図解図である。
【発明を実施するための形態】
【００２９】
［第１実施例］
図１は情報処理システム１０の一例を示す図解図である。この図１を参照して、第１実施例の情報処理システム１０は、画像形成装置１２を含み、画像形成装置１２には、床センサ（床圧力センサ）１４が接続される。また、画像形成装置１２は、ＬＡＮなどのネットワーク１６を介して、裁断機１８および複数のユーザ端末３０に接続される。
【００３０】
なお、この第１実施例の情報処理システム１０では、一台の画像形成装置１２および一台の裁断機１８が設けられるが、画像形成装置１２または／および裁断機１８は複数設けられてもよい。また、この第１実施例の情報処理システム１０では、画像形成装置１２は、複数のユーザ端末３０に接続されるが、ユーザ端末３０は一台でもよい。さらに、画像形成装置１２、裁断機１８およびユーザ端末３０は、有線で接続されてもよいし、無線で接続されてもよい。
【００３１】
画像形成装置１２は、典型的には、複写機能、プリンタ機能、スキャナ機能およびファクシミリ機能などを有する複合機（ＭＦＰ：Multifunction Peripheral）である。ただし、画像形成装置１２は、複写機能、プリンタ機能、スキャナ機能およびファクシミリ機能のうちの１つでも備えていればよい。
【００３２】
床センサ１４は、多数の感圧センサによって構成される。感圧センサは、接触の圧力（荷重の大きさ）によって抵抗値が変化するセンサであり、シート状の厚みを有し、所定の大きさおよび所定の形状に形成される。この第１実施例では、後述するように、床センサ１４の出力に基づいて、人物の足および画像形成装置１２、裁断機１８および事務机３２の下面に形成された突起（突出部）による押圧を検知し、その位置を２次元座標で管理するため、たとえば、一つの感圧センサは、１０ｃｍ×１０ｃｍの正方形の形状に形成される。
【００３３】
裁断機１８は、用紙を裁断するための機器であり、図示は省略するが、マイクロコンピュータおよび通信モジュールを備える。マイクロコンピュータは、通信モジュールを用いて、ネットワーク１６を介して外部機器（外部装置）と通信する。第１実施例では、マイクロコンピュータは、画像形成装置１２からの指示に従って、自身を内蔵する裁断機１８の電源をオン／オフする。
【００３４】
ユーザ端末３０は、ユーザが使用する汎用のコンピュータ（端末）であり、具体的には、デスクトップＰＣ、ノート（ラップトップ）ＰＣおよびタブレットＰＣなどが該当する。図示は省略するが、ユーザ端末３０には、モニタおよび入力装置が接続される、または、一体的に設けられる。
【００３５】
図２は図１に示す画像形成装置１２の電気的な構成の限定しない一例を示すブロック図である。図２に示すように、画像形成装置１２は、ＣＰＵ５０を含み、ＣＰＵ５０はバス５２を介して、ＲＡＭ５４、ＨＤＤ５６、通信部５８、モデム６０、タッチパネル制御回路６２、表示制御回路６４、操作部検出回路６６、画像読取部６８および画像形成部７０に接続される。また、画像形成装置１２は、タッチパネル７２、本体ディスプレイ７４および操作部７６を備える。タッチパネル７２はタッチパネル制御回路６２に接続され、本体ディスプレイ７４は表示制御回路６４に接続され、そして、操作部７６は操作部検出回路６６に接続される。
【００３６】
ＣＰＵ５０は、画像形成装置１２の全体的な制御を司る。ＲＡＭ５４は、ＣＰＵ５０のワーキング領域およびバッファ領域として用いられる。ＨＤＤ５６は、画像形成装置１２の主記憶装置であり、画像読取部６８で読み取った画像データおよび外部コンピュータから送信された画像データ等を保存する。
【００３７】
ただし、画像読取部６８で読み取られた画像データには、増幅、アナログ／デジタル変換、シェーディング補正、ＲＧＢからＹＭＣへの色変換、色諧調の調整等の所定の処理が施される。ＣＰＵ５０は、所定の処理が施された画像データを、ＨＤＤ５６に記憶したり、画像形成部７０を制御して、対応する画像を記録紙（用紙）などに印刷したりする。
【００３８】
なお、図示は省略するが、画像形成装置１２には、画像形成装置１２の起動プログラムや各種情報についてのデフォルト値を記憶するＲＯＭも設けられる。
【００３９】
通信部５８は、ネットワーク１６に接続され、画像形成装置１２がネットワーク１６を介して他（外部）のコンピュータ（たとえば、ユーザ端末３０）と通信するためのインターフェースないしモジュールである。モデム６０は、電話回線に接続され、ファクシミリについてのデータの送信および受信を行なう。
【００４０】
タッチパネル７２は、静電容量方式のタッチパネルであり、本体ディスプレイ７４の表示面上に設けられる。ただし、タッチパネルが一体的に設けられた本体ディスプレイ７４が設けられてもよい。また、タッチパネルは、抵抗膜方式、光センサ内蔵ＬＣＤ（Liquid Crystal Display）方式、赤外線方式などの他の方式のものを用いることもできる。
【００４１】
タッチパネル制御回路６２は、タッチパネル７２に必要な電圧などを付与するとともに、タッチパネル７２のタッチ有効範囲内でのタッチ操作（タッチ入力）を検出されると、そのタッチ入力の位置を示すタッチ座標データをＣＰＵ５０に出力する。
【００４２】
本体ディスプレイ７４は、操作パネルに設けられる表示装置であり、ＬＣＤまたは有機ＥＬが用いられる。本体ディスプレイ７４には、画像形成装置１２の操作および各種の設定に必要な各種のソフトウェアボタン、各種の設定内容、プレビュー画像、画像形成装置１２の状態を示す画像などが表示される。
【００４３】
表示制御回路６４は、ＧＰＵおよびＶＲＡＭなどを含んでおり、ＣＰＵ５０の指示の下、ＧＰＵは、ＲＡＭ５４に記憶された画像生成データ（図示せず）を用いて、各種の画面を表示するための画面データをＶＲＡＭに生成し、生成した画面データを本体ディスプレイ７４に出力する。
【００４４】
操作部７６は、画像形成装置１２に設けられたハードウェアボタンであり、たとえば、電源ボタン、リセットボタン、節電ボタンおよびホームボタンなどを含む。操作部検出回路６６は、操作部７６の操作に応じた操作信号ないし操作データをＣＰＵ５０に出力する。
【００４５】
画像読取部６８は、透明の原稿台に載置等された原稿をスキャンするラインセンサを含み、ラインセンサは、ＣＰＵ５０の指示の下、受光素子に結像された反射光の輝度や色度を検出し、原稿表面の画像に基づく画像データを生成し、上述したように、所定の処理が施された後に、ＣＰＵ５０に入力される。たとえば、スキャンされることにより得られた画像データは、通信部５８からネットワーク１６を介して、ユーザ端末３０のような外部のコンピュータに送信される。
【００４６】
画像形成部７０は、ＣＰＵ５０からの指示に従って、上記のように、画像データに対応する画像を記録紙（用紙）などに印刷する。画像形成部７０は、露光ユニット、現像器、感光体ドラム、クリーナユニット、帯電器、中間転写ベルトユニット、２次転写ローラおよび定着ユニットなどを備え、給紙トレイから搬送される用紙上に画像を形成し、画像形成済みの用紙を排紙トレイに排出する。用紙上に画像を形成するための画像データとしては、画像読取部６８で読み取った画像データや外部のコンピュータから送信された画像データ等が利用される。
【００４７】
図３は第１実施例の情報処理システム１０が適用される環境（或る部屋）を俯瞰的に見た場合の図解図である。図３に示すように、この第１実施例の情報処理システム１０は、或る会社の或る部屋に適用され、人物（ユーザ）は、画像形成装置１２、裁断機１８およびユーザ端末３０を使用することができる。
【００４８】
図３に示すように、或る部屋には、画像形成装置１２、床センサ１４および裁断機１８が設けられる。図３では、部屋を区画する壁は斜線を付して示してある。床センサ１４は、或る部屋の床一面に敷き詰められる。画像形成装置１２および裁断機１８は、或る部屋の所定の位置に配置される。また、或る部屋には、複数の人物が作業を行うための複数の事務机３２が配置され、各事務机３２には各人物が使用するユーザ端末３０が載置される。また、画像形成装置１２および裁断機１８が配置される場所（領域）と、複数の事務机３２が配置される領域の間には、二つの棚が配置される。二つの棚の間、各棚と壁との間が複数の事務机３２が配置された領域から画像形成装置１２および裁断機１８が配置される領域への通路になっている。また、画像形成装置１２の近傍に、或る部屋の出入り口が設けられる。
【００４９】
上述したように、画像形成装置１２は、ネットワーク１６を介してユーザ端末３０に接続される。このため、或る部屋で作業する各人物は、ユーザ端末３０を用いて作成した文書等についての印刷データを印刷指示とともに画像形成装置１２に出力（送信）することにより、その文書等を印刷することができる。また、各人物は、画像形成装置１２を用いて、スキャンしたり、複写したり、ファクシミリを送信したりすることができる。また、各人物は、裁断機１８を用いて、不要になった用紙またはディスク媒体（ＣＤまたはＤＶＤなど）を裁断することができる。さらに、各人物は、ユーザ端末３０を用いて文書等を作成することができる。
【００５０】
画像形成装置１２、裁断機１８およびユーザ端末３０等の事務機器は、省電力化のため、使用しない時には、電源をオフされたり、消費電力を極力抑えた状態（省電力モードまたはスタンバイ状態）にされたりすることが一般的である。
【００５１】
一般的には、画像形成装置１２の場合には、使用しない時には、省電力モードにされ、人物（ユーザ）の操作に応じて、または、焦電センサ（赤外線センサ）のような人検知センサを用いて人物を検知したことに応じて、通常モードに移行される。焦電センサを用いる場合には、画像形成装置１２を、人物がボタン操作によって通常モードに移行させるよりも早いタイミングで移行させるようにしてある。
【００５２】
また、一般的には、裁断機１８は、ネットワーク接続が行われず、人物が電源をオン／オフする。または、人物が裁断する用紙等を裁断機１８に設定したことに応じて、裁断機１８が電源オンされ、裁断を終了した後に所定時間が経過したときに、裁断機１８は電源オフされる。
【００５３】
さらに、一般的には、ユーザ端末３０の場合には、省電力モードを使用することが設定されている場合には、人物によって省電力モードに移行することが指示された場合または所定時間何も操作が行われない場合に、省電力モードに移行され、人物がキーボードのいずれかのキーを操作したり、タッチパネルをタッチしたり、コンピュータマウスをクリックまたは動かしたりしたことに応じて、通常モードに移行される。
【００５４】
このため、図３に示すような環境においては、たとえば、人物が画像形成装置１２の前を通って退室する場合にも、焦電センサによってこの人物が検知されると、画像形成装置１２が通常モードに移行されることがある。このため、無駄な電力を消費してしまう問題がある。これを回避するため、焦電センサで人物を検知（感知）する距離を短く設定した場合には、画像形成装置１２が通常モードに移行するまでの時間が、画像形成装置１２を操作することにより通常モードに移行させる場合とほとんど変わらない可能性がある。また、そのような距離の設定（調整）も面倒である。
【００５５】
また、裁断機１８およびユーザ端末３０の場合には、人物の操作によって省電力モード（または電源オフ）から通常モード（または電源オン）に移行されるため、人物が裁断機１８およびユーザ端末３０を操作する必要があり、また、通常モード（または電源オン）に移行されるまでは、人物は、裁断機１８およびユーザ端末３０の使用を待機する必要がある。
【００５６】
したがって、この第１実施例では、床センサ１４の出力に基づいて人物の位置を追跡し、追跡した人物の位置の一連の変化（移動軌跡）に基づいて、画像形成装置１２、裁断機１８またはユーザ端末３０のあるべき状態を決定し、画像形成装置１２、裁断機１８またはユーザ端末３０を決定した状態に設定する（変化させる）ようにしてある。ここで、あるべき状態とは、人物（ユーザ）が事務機器を使用する場合に、必要と考えられる準備が整えられた状態（使用可能な状態）を意味する。
【００５７】
ただし、ユーザ端末３０は、これを使用する人物の座席（事務机３２上）に設置されるため、床センサ１４の出力に基づいてユーザ端末３０を認識することができない。このため、床センサ１４の出力に基づいて移動する人物を特定する場合には、ユーザ端末３０に代えて事務机３２を検出するようにしてある。したがって、この明細書においては、移動する人物を特定する場合には、事務機器は、画像形成装置１２、裁断機１８および事務机３２を意味するが、状態を変化させる場合には、画像形成装置１２、裁断機１８およびユーザ端末３０を意味する。
【００５８】
図４は事務機器（１２、１８、３２）に対して設定される範囲（領域）Ｒ１および範囲Ｒ２を示す図解図である。
【００５９】
図４に示すように、事務機器（１２、１８、３２）には、範囲Ｒ１および範囲Ｒ２が設定される。範囲Ｒ１は事務機器（１２、１８、３２）から距離ｄ１の範囲であり、範囲Ｒ２は事務機器（１２、１８、３２）から距離ｄ２の範囲において範囲Ｒ１を除く範囲である。図４からも分かるように、距離ｄ２は距離ｄ１よりも大きい。たとえば、距離ｄ１は１ｍ程度であり、距離ｄ２は２ｍ程度である。
【００６０】
また、図４からも分かるように、事務機器（１２、１８、３２）の前方に、半円（扇形）の範囲Ｒ１および範囲Ｒ１の外側に帯状（ドーナツ形状の一部）の範囲Ｒ２が設定される。つまり、範囲Ｒ１および範囲Ｒ２は、人物が事務機器（１２、１８、３２）に近づいたり使用したりする場合に、この人物を検出可能に設定される。
【００６１】
この第１実施例では、事務機器（１２、１８、３２）の種類に拘わらず、同じ大きさの範囲Ｒ１および範囲Ｒ２を設定するようにしてあるが、事務機器（１２、１８、３２）の種類に応じて範囲Ｒ１または／および範囲Ｒ２の大きさは変化されてもよい。
【００６２】
また、範囲Ｒ１および範囲Ｒ２の大きさを決定するための距離ｄ１および距離ｄ２は事務機器（１２、１８、３２）の前面の中央の位置からの距離である。ただし、事務機器（１２、１８、３２）の前面は、事務機器（１２、１８、３２）を使用する際に人物と対面する側の面である。
【００６３】
この第１実施例では、床センサ１４の出力に基づいて人物の位置の一連の変化を検出し、人物が事務機器（１２、１８、３２）に近づいている場合に、画像形成装置１２、裁断機１８およびユーザ端末３０の状態を、人物の位置に応じて設定する（変化させる）。
【００６４】
人物が事務機器（１２、１８、３２）に近づいているかの判断は次のように行われる。まず、人物の今回の位置情報と事務機器（１２、１８、３２）の距離（第１距離）と当該人物の前回の位置情報と当該事務機器（１２、１８、３２）の距離（第２距離）を比較して、第１距離が第２距離よりも短いかどうかを判断する。第１距離が第２距離よりも短い場合には、さらに、当該人物の移動方向が事務機器（１２、１８、３２）に向かっているかどうかを判断する。移動方向が事務機器（１２、１８、３２）に向かっている場合に、人物が事務機器（１２、１８，３２）に近づいていると判断される。ただし、人物の移動方向は、前回の位置情報を始点とし、現在の位置情報を終点とするベクトルの向きで決定される。
【００６５】
なお、第１距離が第２距離以上である場合および移動方向が事務機器（１２，１８、３２）に向かっていない場合には、人物が事務機器（１２、１８、３２）に近づいていると判断されない。
【００６６】
このように、人物の位置を検出するとともに移動方向を算出（決定）するので、歩幅に相当する距離だけ移動方向に移動された足の位置を検出するようにすれば、複数の人物が部屋の中を移動した場合であっても、各人物を個別に追跡することができる。ただし、歩幅は、成人男性の歩幅の平均値および成人女性の歩幅の平均値に基づいて決定される。
【００６７】
また、移動する人物の特定および画像形成装置１２、裁断機１８およびユーザ端末３０の状態の設定は、図５（Ａ）〜図５（Ｃ）に示す各テーブルを用いて行われる。図５（Ａ）は人物情報のテーブルの一例を示す図解図であり、図５（Ｂ）は機器情報のテーブルの一例を示す図解図であり、図５（Ｃ）は状態情報のテーブルの一例を示す図解図である。この第１実施例では、図５（Ａ）〜図５（Ｃ）に示すテーブルは、予め作成され、対応するデータが画像形成装置１２のＨＤＤ５６に記憶され、状態制御処理が実行されるときに読み出され、ＲＡＭ５４に記憶される。
【００６８】
図５（Ａ）に示すように、人物情報のテーブルでは、人物ＩＤに対応して、端末ＩＤおよび機器ＩＤが記述される。人物ＩＤは、情報処理システム１０が適用される環境に存在する人物を識別するための識別情報である。この第１実施例では、人物ＩＤは４文字のアルファベットで表現される。ただし、識別情報は、限定される必要は無く、人物を識別可能であれば、数字または他の記号を用いてもよい。このことは、後述する端末ＩＤおよび機器ＩＤについても同様である。ただし、人物ＩＤ、端末ＩＤおよび機器ＩＤは、それぞれを識別可能に設定される。
【００６９】
端末ＩＤは、人物が使用するユーザ端末３０を識別するための識別情報である。この実施例では、アルファベットのＴと数字を用いて表現される。ただし、端末ＩＤは、ネットワーク１６上でユーザ端末３０に割り当てられるＩＰアドレスが用いられてもよい。または、ユーザ端末３０が備える通信部に割り当てられたＭＡＣアドレスが用いられてもよい。ＩＰアドレスまたはＭＡＣアドレスを使用する場合には、画像形成装置１２は印刷指示の送信元をＩＰアドレスまたはＭＡＣアドレスによって知ることができる。ただし、端末ＩＤとして、ＩＰアドレスまたはＭＡＣアドレスを使用しない場合には、ＩＰアドレスまたはＭＡＣアドレスは端末ＩＤに紐付けられる。
【００７０】
機器ＩＤは、画像形成装置１２、裁断機１８および事務机３２を識別するための識別情報である。この実施例では、機器ＩＤはアルファベットのＭと数字を用いて表現される。ただし、人物情報のテーブルに記述される機器ＩＤは、対応する人物ＩＤが示す人物の座席に使用される事務机３２についての機器ＩＤである。このように、人物情報のテーブルに機器ＩＤを含めるのは、人物が使用するユーザ端末３０と事務机３２を紐付けるためである。これによって、後述するように、床センサ１４の出力に基づいて人物が移動を開始したことを検知したときに、移動を開始した起点の位置またはその近傍の位置に配置されている事務机３２から人物を特定することができるのである。
【００７１】
図５（Ｂ）に示すように、機器情報のテーブルでは、機器ＩＤに対応して、名称、押圧形状および位置情報が記述される。機器ＩＤは、上述したとおりである。名称は、機器ＩＤが割り当てられた事務機器、第１実施例では、画像形成装置１２（複合機）、裁断機１８および事務机３２の名称である。押圧形状は、画像形成装置１２、裁断機１８および事務机３２が床センサ１４上に配置されている場合に、床センサ１４を押圧して形成される形状である。つまり、機器ＩＤに対応する画像形成装置１２、裁断機１８および事務机３２の下面ないし足の裏には、押圧形状が示す形状で床センサ１４を押圧する突起が形成されているのである。
【００７２】
位置情報は、対応する画像形成装置１２、裁断機１８および事務机３２が配置される位置を座標を用いて表現したものである。たとえば、位置情報は、情報処理システム１０が適用される環境の床面を２次元座標系で表現した場合に、画像形成装置１２、裁断機１８および事務机３２が配置される位置の座標である。ただし、押圧形状の突起が設けられた位置が当該押圧形状の突起が形成された画像形成装置１２、裁断機１８および事務机３２の位置に決定される。たとえば、図３に示す実施例では、図面において、床部分の左上の頂点が原点に設定され、横方向がＸ軸方向であり、縦方向がＹ軸方向である。また、位置情報の各軸成分の長さの単位はｃｍである。
【００７３】
図５（Ｃ）に示すように、状態情報のテーブルでは、機器ＩＤに対応して、状態１、状態２および状態３が記述される。機器ＩＤは、上述したとおりである。状態１、状態２および状態３は、対応する機器ＩＤが付された画像形成装置１２、裁断機１８および事務机３２に設定される状態の内容を示す。ただし、事務机３２に対して設定される状態は、当該事務机３２上に配置されたユーザ端末３０の状態を意味する。
【００７４】
したがって、床センサ１４の出力に基づいて、環境内における物の移動を検出すると、床センサ１４に対する物の押圧形状を認識することにより、移動された物が人物であるか事務機器であるかが判断される。
【００７５】
床センサ１４の出力に基づいて、機器情報のテーブルに記述された押圧形状と同じ押圧形状が一旦検出されなくなった後に再度検出された場合には、該当する事務機器（１２、１８，３２）が移動されたと判断し、当該事務機器の位置情報が更新される。一方、床センサ１４の出力に基づいて、検出される押圧形状が機器情報のテーブルに記述された押圧形状と異なり、その大きさが２０〜３０ｃｍ程度の長円形状（足跡の形状）あれば、人物が移動されたと判断し、当該人物が特定される。
【００７６】
床センサ１４の出力から圧力が変化した位置の位置情報は時系列に従って記憶されており、機器情報のテーブルを参照することにより、位置情報の変化の起点の位置またはその近傍の位置に事務机３２が配置されている場合には、人物情報のテーブルを参照することにより、その事務机３２を使用する人物が特定される。ただし、人物が部屋の外から中に入ってきた場合には、位置情報の変化の起点の位置またはその近傍の位置に事務机３２が配置されていないため、人物は特定されない。
【００７７】
人物が画像形成装置１２に近づいている場合には、人物が画像形成装置１２に設定された範囲Ｒ２に入ると、画像形成装置１２は、省電力モードの状態から電源オン（通常モード）の状態に設定され、さらに、範囲Ｒ１に入ると、画像形成装置１２は、印刷処理を実行可能な状態に設定される。したがって、人物がユーザ端末３０を用いて印刷指示および印刷データを画像形成装置１２に送信すると、画像形成装置１２は印刷指示および印刷データを受信および保持し、その後、当該人物が近づいたときに、保持しておいた印刷データについての印刷処理を実行する。ただし、画像形成装置１２に近づいた人物を特定できない場合には、画像形成装置１２は、印刷指示および印刷データを保持している場合であっても、印刷処理を実行しない。このように、画像形成装置１２は、床センサ１４の出力に基づいて、ユーザ認証を実行するとともに、ユーザ認証に基づく印刷処理を実行する。
【００７８】
人物が裁断機１８に近づいている場合には、人物が裁断機１８に設定された範囲Ｒ２に入ると、裁断機１８は電源オフの状態から電源オンの状態に設定される。裁断機１８の場合には、さらに人物が範囲Ｒ１に入っても（移動しても）、電源オンの状態が維持される。したがって、人物が裁断機１８に向かうと、裁断機１８に近づいたときに電源がオンされるため、直ぐに裁断することができる。ただし、裁断機１８は、画像形成装置１２からのコマンドに従って状態を設定する。たとえば、画像形成装置１２のＣＰＵ５０は、通信部５８を用いて裁断機１８を起動するためのコマンド（Ｗａｋｅ−ｏｎ−ＬＡＮ）を送信する。すると、裁断機１８は、そのコマンドに従って、電源オフの状態から電源オンの状態に設定（変化）される。
【００７９】
人物が自身の事務机３２（ユーザ端末３０）に近づいている場合には、人物が自身の事務机３２に設定された範囲Ｒ２に入ると、ユーザ端末３０の省電力モードの状態が維持され、さらに、範囲Ｒ１に入ると、ログイン画面が表示される通常モードの状態に設定される。ただし、ユーザ端末３０の状態を設定するためのコマンドは、画像形成装置１２から送信される。画像形成装置１２は、通常モードの状態を設定する場合には、通信部５８を用いて、特定した人物が使用するユーザ端末３０を起動するためのコマンド（Ｗａｋｅ−ｏｎ−ＬＡＮ）を送信する。すると、ユーザ端末３０は、そのコマンドに従って、電源オフ（省電力）の状態から電源オンの状態に設定（変化）される。したがって、人物が自身のユーザ端末３０に向かうと、ユーザ端末３０に近づいたときにログイン画面が表示されるため、人物が着席すると直ぐにユーザ端末３０へのログインを実行することができる。ただし、事務机３２（ユーザ端末３０）に近づいた人物を特定できない場合には、画像形成装置１２は、当該事務机３２に設置されたユーザ端末３０の状態を設定するためのコマンドを送信しない。
【００８０】
このように、人物が範囲Ｒ１または範囲Ｒ２に入る（存在する）ことのみならず、画像形成装置１２、裁断機１８および事務机３２に向かって近づいているかどうかを判断するのは、人物が画像形成装置１２、裁断機１８および事務机３２の前を横切るだけの場合にまで、状態が変化されてしまうのを出来る限り防止するためである。また、人物が画像形成装置１２、裁断機１８および事務机３２から離れる場合に、電源オンの状態に設定にされることが無い。つまり、不要な動作が実行されることは無い。このため、無駄な電力が消費されるのを出来る限り防止できる。
【００８１】
また、この第１実施例では、図５（Ａ）〜図５（Ｃ）に示したテーブルが予め作成されるようにしてあるが、図５（Ｂ）に示す機器情報のテーブルは、画像形成装置１２、裁断機１８および事務机３２が或る部屋に設置された後または設置位置を変更した後に、情報処理システム１０の管理者等の指示に従って、画像形成装置１２が、床センサ１４の出力に基づいて、画像形成装置１２自身、裁断機１８および事務机３２の位置情報を取得し、作成してもよい。ただし、機器情報のうち、機器ＩＤ、名称および押圧形状については予め作成される。
【００８２】
また、この第１実施例では、画像形成装置１２、裁断機１８および事務机３２などの事務機器（設置物）の下面ないし足の裏に、押圧形状を有する突起が形成されるが、突起は事務機器の下面ないし足の裏に貼り付けられてもよい。
【００８３】
さらに、この第１実施例では、１つの事務機器に対して１つの押圧形状が割り当てられるようにしてあるが、複数の押圧形状が割り当てられてもよい。かかる場合には、複数の押圧形状を事務機器に割り当てることにより、押圧形状の個数、位置および押圧力の大きさの違いによって、事務機器を識別可能にしてもよい。
【００８４】
図６は図２に示した画像形成装置１２のＲＡＭ５４のメモリマップ３００の一例を示す図解図である。図６に示すように、ＲＡＭ５４は、プログラム記憶領域３０２およびデータ記憶領域３０４を含む。プログラム記憶領域３０２は、画像形成装置１２で実行される状態制御処理についてのプログラム（情報処理プログラム）を記憶し、情報処理プログラムは、メイン処理プログラム３０２ａ、通信プログラム３０２ｂ、センサ出力検出プログラム３０２ｃ、機器情報更新プログラム３０２ｄ、追跡プログラム３０２ｅ、状態決定プログラム３０２ｆ、状態設定プログラム３０２ｇ、操作検出プログラム３０２ｈ、画像生成プログラム３０２ｉ、画像表示プログラム３０２ｊ、スキャンプログラム３０２ｋ、印刷プログラム３０２ｍおよび複写プログラム３０２ｎなどで構成される。この情報処理プログラムは、たとえば、画像形成装置１２に内蔵されたＨＤＤ５６から読み出され、ＲＡＭ５４に記憶される。
【００８５】
メイン処理プログラム３０２ａは、この第１実施例の状態制御処理（情報処理）のメインルーチンを実行するためのプログラムである。通信プログラム３０２ｂは、ユーザ端末３０などの外部のコンピュータと通信するためのプログラムである。
【００８６】
センサ出力検出プログラム３０２ｃは、所定時間（たとえば、数１００ｍｓｅｃ）毎に、床センサ１４の出力を検出するためのプログラムである。機器情報更新プログラム３０２ｄは、センサ出力検出プログラム３０２ｃに従って検出された床センサ１４の出力に基づいて、情報処理システム１０が適用される環境内における事務機器（１２、１８、３２）の位置情報を含む機器情報データ３０４ｅを更新するためのプログラムである。
【００８７】
追跡プログラム３０２ｅは、床センサ１４の出力に基づいて人物の位置を時系列に従って検出するとともに、人物の移動方向を算出（決定）して、人物を追跡するためのプログラムである。
【００８８】
状態決定プログラム３０２ｆは、状態情報のテーブルに対応する状態情報データ３０４ｆを参照して、事務機器（１２、１８、３０）の状態を決定するためのプログラムである。状態設定プログラム３０２ｇは、状態決定プログラム３０２ｆに従って決定された状態に、事務機器（１２、１８、３０）を設定するためのプログラムである。したがって、状態設定プログラム３０２ｇは、電源オフの状態の裁断機１８およびスリープ状態のユーザ端末３０を起動する（Wake-on-LAN)ためのプログラムでもある。
【００８９】
操作検出プログラム３０２ｈは、操作入力データを検出するためのプログラムである。つまり、タッチパネル７２からのタッチ座標データおよび操作部７６からのボタン操作信号（ボタン操作データ）が検出される。ＣＰＵ１２ａは、この操作検出プログラム３０２ｈに従って検出されたタッチ座標データまたは／およびボタン操作データを取得し、取得したタッチ座標データまたは／およびボタン操作データを時系列に従ってＲＡＭ５４に記憶する。
【００９０】
画像生成プログラム３０２ｉは、後述する画像生成用データ３０４ｂを用いて、本体ディスプレイ７４に表示される各種の表示画面についての画面データを生成するためのプログラムである。図示は省略したが、画面データは、ＣＰＵ５０の指示の下、表示制御回路６４に内蔵されるＧＰＵによってＶＲＡＭ上に生成される。
【００９１】
画像表示プログラム３０２ｊは、画像生成プログラム３０２ｉに従って生成された画面データに対応する表示画面を本体ディスプレイ７４に表示するためプログラムであり、ＣＰＵ５０は、表示制御回路６４を制御して、ＶＲＡＭ上に生成された画面データを本体ディスプレイ７４に出力する。
【００９２】
スキャンプログラム３０２ｋは、原稿をスキャンし、所定の処理を施した画像データを取得するためのプログラムである。印刷プログラム３０２ｍは、ユーザ端末３０などの外部のコンピュータからの印刷指示および印刷データに従って印刷処理を実行するためのプログラムである。複写プログラム３０２ｎは、原稿をスキャンし、スキャンによって取得された画像データについて印刷処理を実行するためのプログラムである。
【００９３】
図示は省略するが、プログラム記憶領域３０２には、画像形成装置１２が備える他の機能を実行するためのプログラムなども記憶される。
【００９４】
また、データ記憶領域３０４には、操作入力データ３０４ａ、画像生成用データ３０４ｂ、床センサデータ３０４ｃ、人物情報データ３０４ｄ、機器情報データ３０４ｅ、状態情報データ３０４ｆ、追跡データ３０４ｇ、スキャンデータ３０４ｈおよび印刷データ３０４ｉが記憶される。
【００９５】
操作入力データ３０４ａは、タッチパネル７２からのタッチ座標データおよび操作部７６からのボタン操作データであって、時系列に従って記憶される。画像生成用データ３０４ｂは、操作パネルに表示される各種の画面を生成するときに使用されるデータであり、ポリゴンデータやテクスチャデータなどを含む。この画像生成用データ３０４ｂは、ＨＤＤ５６から読み出され、ＲＡＭ５４に記憶される。床センサデータ３０４ｃは、多数の感圧センサから出力された抵抗値についてのデータであり、２次元座標によって各感圧センサを識別可能に記憶される。
【００９６】
人物情報データ３０４ｄは、図５（Ａ）に示した人物情報のテーブルについてのデータであり、情報処理システム１０が適用される環境に応じて設定される。機器情報データ３０４ｅは、図５（Ｂ）に示した機器情報のテーブルについてのデータであり、情報処理システム１０が適用される環境に応じて設定され、床センサ１４の検出結果に基づいて位置情報が更新される。状態情報データ３０４ｆは、図５（Ｃ）に示した状態情報のテーブルについてのデータであり、情報処理システム１０が適用される環境に応じて設定される。上述したように、人物情報データ３０４ｄ、機器情報データ３０４ｅおよび状態情報データ３０４ｆは、ＨＤＤ５６から読み出され、ＲＡＭ５４に記憶される。
【００９７】
追跡データ３０４ｇは、追跡プログラム３０２ｅに従って検出および算出される人物の位置情報および人物の現在の移動方向についてのデータである。スキャンデータ３０４ｈは、原稿をスキャンしたときに取得された画像データである。印刷データ３０４ｉは、ユーザ端末３０等の外部のコンピュータから印刷指示とともに送信された印刷データである。この印刷データには、送信元のユーザ端末３０等の外部のコンピュータの識別情報（端末ＩＤ）が付加される。
【００９８】
データ記憶領域３０４には、情報処理プログラムを実行するために必要な他のデータも記憶され、また、情報処理プログラムを実行するために必要なカウンタ（タイマ）およびフラグなども設けられる。
【００９９】
図８〜図１２は図２に示したＣＰＵ５０の状態制御処理の一例を示すフロー図である。以下、状態制御処理について説明するが、一度説明した処理と同じ処理の詳細な説明については省略することにする。
【０１００】
状態制御処理は、画像形成装置１２が省電力モードに設定されたときに開始され、また、状態制御処理を終了した後では、所定時間が経過したときに開始される。
【０１０１】
図８に示すように、ＣＰＵ５０は、状態制御処理を開始すると、ステップＳ１で、床センサ１４の出力を検出する。次のステップＳ３では、圧力の変化が有るかどうかを判断する。ステップＳ３で“ＮＯ”であれば、つまり、圧力の変化が無い場合には、ステップＳ５で、操作が有るかどうかを判断する。つまり、ＣＰＵ５０は、現フレームの操作入力データ３０４ａがデータ記憶領域３０４に記憶されているかどうかを判断する。ただし、フレームは、１/３０秒、１／６０秒または１／１２０秒の所定時間である。
【０１０２】
なお、ＣＰＵ５０は、状態制御処理と並行して、タッチパネル７２からのタッチ座標データおよび操作部７６からのボタン操作データを検出し、検出したタッチ座標データまたは／およびボタン操作データを時系列に従って記憶する処理を実行する。
【０１０３】
ステップＳ５で“ＮＯ”であれば、つまり、操作が無ければ、ステップＳ１に戻る。一方、ステップＳ５で“ＹＥＳ”であれば、つまり、操作が有れば、ステップＳ７で、省電力モードの設定かどうかを判断する。ステップＳ７で“ＮＯ”であれば、つまり、省電力モードの設定でなければ、図１２に示すステップＳ５５に進む。一方、ステップＳ７で“ＹＥＳ”であれば、つまり、省電力モードの設定であれば、画像形成装置１２自身を省電力モードの状態に設定する。省電力モードでは、ＣＰＵ５０、ＲＡＭ５４、通信部５８、タッチパネル制御回路６２、操作部検出回路６６、タッチパネル７２および操作部７６以外のコンポーネントへの電力供給が停止される。
【０１０４】
また、ステップＳ３で“ＹＥＳ”であれば、つまり、圧力の変化が有れば、ステップＳ９で、押圧形状を認識する。ここでは、ＣＰＵ５０は、圧力が変化することにより、新たに押圧された複数の感圧センサによって形成されている形状を認識する。次のステップＳ１１で、位置情報を取得する。ここでは、押圧されている複数の感圧センサに設定された座標から算出した中心座標または重心座標を位置情報として取得する。ここで取得された位置情報のデータは、追跡データ３０４ｇとして時系列に従って記憶（追加）される。ただし、ＣＰＵ５０は、ステップＳ１１において、複数の位置情報を取得した場合には、異なる複数の場所で複数の人物がそれぞれ移動していると判断し、異なる人物毎に識別可能に位置情報のデータを記憶する。
【０１０５】
続くステップＳ１３では、事務機器（１２、１８、３２）かどうかを判断する。ここでは、ＣＰＵ５０は、ステップＳ９において認識した押圧形状と一致する押圧形状が機器情報のテーブルに含まれているかどうかを判断する。
【０１０６】
ステップＳ１３で“ＹＥＳ”であれば、つまり、事務機器（１２、１８、３２）であれば、ステップＳ１５で、機器情報のテーブルにおいて、該当する事務機器（１２、１８、３２）の位置情報をステップＳ１１で取得した位置情報に更新して、ステップＳ１に戻る。
【０１０７】
ステップＳ１３で“ＮＯ”であれば、つまり、事務機器（１２、１８、３２）でなければ、ステップＳ１７で、起点付近に事務机３２が有るかどうかを判断する。追跡データ３０４ｇに含まれる位置情報のデータうち、時間的に最も古い位置情報に近傍する位置情報を含む事務机３２（機器ＩＤ）が有るかどうかを判断する。つまり、このステップＳ１７では、事務机３２の位置から移動を開始した人物が存在するかどうかを判断しているのである。
【０１０８】
ステップＳ１７で“ＮＯ”であれば、つまり、起点付近に事務机３２が無ければ、図９に示すステップＳ２３に進む。ステップＳ１７で“ＹＥＳ”であれば、つまり、起点付近に事務机３２が有れば、ステップＳ１９で、人物を特定する。このステップＳ１９では、ＣＰＵ５０は、機器情報データ３０４ｅを参照して、起点付近に存在する事務机３２の機器ＩＤを取得し、さらに、人物情報データ３０４ｄを参照して、取得した機器ＩＤが記載された人物ＩＤを取得する。
【０１０９】
続くステップＳ２１では、特定された人物からの印刷指示が有るかどうかを判断する。つまり、ＣＰＵ５０は、特定された人物からの印刷データ３０４ｊがＲＡＭ５４に記憶されているかどうかを判断する。ステップＳ２１で“ＮＯ”であれば、つまり、特定された人物からの印刷指示が無ければ、図９のステップＳ２３に進む。一方、ステップＳ２１で“ＹＥＳ”であれば、つまり、特定された人物からの印刷指示が有れば、図１０のステップＳ３５に進む。
【０１１０】
図９に示すように、ステップＳ２３では、人物（位置情報）が画像形成装置１２に近づいているかどうかを判断する。上述したように、ＣＰＵ５０は、今回の位置情報と画像形成装置１２の距離（第１距離）と前回の位置情報と画像形成装置１２の距離（第２距離）を比較して、第１距離が第２距離よりも短いかどうかを判断する。このことは、裁断機１８およびユーザ端末３０（事務机３２）に人物（位置情報）が近づいているかどうかを判断する場合についても同様である。
【０１１１】
ステップＳ２３で“ＮＯ”であれば、つまり、人物が画像形成装置１２に近づいていない場合には、図８に示したステップＳ１に戻る。一方、ステップＳ２３で“ＹＥＳ”であれば、つまり、人物が画像形成装置１２に近づいている場合には、ステップＳ２５で、人物が画像形成装置１２に設定された範囲Ｒ２内に存在するかどうかを判断する。ステップＳ２５では、ＣＰＵ５０は、現在の位置情報が、画像形成装置１２に設定された範囲Ｒ２内に含まれているかどうかを判断する。以下、人物が裁断機１８およびユーザ端末３０（事務机３２）に設定された範囲Ｒ１内または範囲Ｒ２内に存在するかどうかを判断する場合についても同様である。
【０１１２】
ステップＳ２５で“ＮＯ”であれば、つまり、人物が画像形成装置１２に設定された範囲Ｒ２内に存在しなければ、ステップＳ２９に進む。一方、ステップＳ２５で“ＹＥＳ”であれば、つまり、人物が画像形成装置１２に設定された範囲Ｒ２内に存在すれば、ステップＳ２７で、画像形成装置１２自身を範囲Ｒ２内に対応する状態に設定して、ステップＳ２９に進む。ステップＳ２７では、図５（Ｃ）に示した状態情報のテーブルに従って、画像形成装置１２は、電源オンの状態（通常モード）に設定される。ただし、既に電源オンの状態である場合には、ステップＳ２７の処理はスキップされる。
【０１１３】
ステップＳ２９では、人物が裁断機１８に近づいているかどうかを判断する。ステップＳ２９で“ＮＯ”であれば、つまり、人物が裁断機１８に近づいていなければ、ステップＳ１に戻る。一方、ステップＳ２９で“ＹＥＳ”であれば、つまり、人物が裁断機１８に近づいていれば、ステップＳ３１で、人物が裁断機１８に設定された範囲Ｒ２内に存在するかどうかを判断する。
【０１１４】
ステップＳ３１で“ＮＯ”であれば、つまり、人物が裁断機１８に設定された範囲Ｒ２内に存在しなければ、ステップＳ１に戻る。一方、ステップＳ３１で“ＹＥＳ”であれば、つまり、人物が裁断機１８に設定された範囲Ｒ２内に存在すれば、ステップＳ３３で、裁断機１８を範囲Ｒ２内に対応する状態に設定して、ステップＳ１に戻る。ステップＳ３３では、図５（Ｃ）に示した状態情報のテーブルに従って、画像形成装置１２（ＣＰＵ５０）は、裁断機１８を電源オンの状態（通常モード）に設定させる。ただし、裁断機１８は、既に電源オンの状態である場合には、ステップＳ３３の処理はスキップされる。
【０１１５】
また、図１０に示すように、ステップＳ３５では、特定された人物が画像形成装置１２に近づいているかどうかを判断する。ステップＳ３５で“ＮＯ”であれば、ステップＳ４１に進む。一方、ステップＳ３５で“ＹＥＳ”であれば、ステップＳ３７で、特定された人物が画像形成装置１２の範囲Ｒ２内に存在するかどうかを判断する。
【０１１６】
ステップＳ３７で“ＮＯ”であれば、ステップＳ４１に進む。一方、ステップＳ３７で“ＹＥＳ”であれば、ステップＳ３９で、画像形成装置１２を画像形成装置１２自身に設定された範囲Ｒ２内に対応する状態に設定して、ステップＳ４１に進む。
【０１１７】
ステップＳ４１では、特定された人物が裁断機１８に近づいているかどうかを判断する。ステップＳ４１で“ＮＯ”であれば、ステップＳ４７に進む。一方、ステップＳ４１で“ＹＥＳ”であれば、ステップＳ４３で、特定された人物が裁断機１８に設定された範囲Ｒ２内に存在するかどうかを判断する。
【０１１８】
ステップＳ４３で“ＮＯ”であれば、ステップＳ４７に進む。一方、ステップＳ４３で“ＹＥＳ”であれば、ステップＳ４５で、裁断機１８を裁断機１８自身に設定された範囲Ｒ２内に対応する状態に設定して、ステップＳ４７に進む。
【０１１９】
ステップＳ４７では、特定された人物が自身の事務机３２に近づいているかどうかを判断する。ステップＳ４７で“ＮＯ”であれば、つまり、特定された人物が自身の事務机３２に近づいていない場合には、図１１に示すステップＳ５３に進む。
【０１２０】
一方、ステップＳ４７で“ＹＥＳ”であれば、つまり、特定された人物が自身の事務机３２に近づいている場合には、ステップＳ４９で、特定された人物が自身の事務机３２に設定された範囲Ｒ２内に存在するかどうかを判断する。ステップＳ４９で“ＮＯ”であれば、つまり、特定された人物が自身の事務机３２に設定された範囲Ｒ２内に存在しない場合には、ステップＳ５３に進む。一方、ステップＳ４９で“ＹＥＳ”であれば、つまり、特定された人物が自身の事務机３２に設定された範囲Ｒ２内に存在する場合には、ステップＳ５１で、特定された人物のユーザ端末３０をユーザ端末３０自身が配置される事務机３２に設定された範囲Ｒ２内に対応する状態に設定して、ステップＳ５３に進む。ただし、この第１実施例では、図５（Ｃ）に示した状態情報のテーブルに従うため、ユーザ端末３０は、人物が範囲Ｒ２外に存在する場合と範囲Ｒ２内に存在する場合とで同じ状態に設定される。つまり、状態が変化されない。
【０１２１】
図１１に示すように、ステップＳ５３では、特定された人物が画像形成装置１２に近づいているかどうかを判断する。ステップＳ５３で“ＮＯ”であれば、ステップＳ５９に進む。一方、ステップＳ５３で“ＹＥＳ”であれば、ステップＳ５５で、特定された人物が画像形成装置１２に設定された範囲Ｒ１内に存在するかどうかを判断する。
【０１２２】
ステップＳ５５で“ＮＯ”であれば、ステップＳ５９に進む。一方、ステップＳ５５で“ＹＥＳ”であれば、ステップＳ５７で、画像形成装置１２を画像形成装置１２自身に設定された範囲Ｒ１内に対応する状態に設定して、ステップＳ５９に進む。
【０１２３】
ステップＳ５９では、特定された人物が裁断機１８に近づいているかどうかを判断する。ステップＳ５９で“ＮＯ”であれば、ステップＳ６５に進む。一方、ステップＳ５９で“ＹＥＳ”であれば、ステップＳ６１で、特定された人物が裁断機１８に設定された範囲Ｒ２内に存在するかどうかを判断する。
【０１２４】
ステップＳ６１で“ＮＯ”であれば、ステップＳ６５に進む。一方、ステップＳ６１で“ＹＥＳ”であれば、ステップＳ６３で、裁断機１８を裁断機１８自身に設定された範囲Ｒ１内に対応する状態に設定して、ステップＳ６５に進む。ただし、この第１実施例では、図５（Ｃ）に示した状態情報のテーブルに従うため、裁断機１８は、人物が範囲Ｒ２内に存在する場合と範囲Ｒ１内に存在する場合とで同じ状態に設定される。つまり、状態が変化されない。
【０１２５】
ステップＳ６５では、特定された人物が自身の事務机３２に近づいているかどうかを判断する。ステップＳ６５で“ＮＯ”であれば、図８に示したステップＳ１に戻る。一方、ステップＳ６５で“ＹＥＳ”であれば、ステップＳ６７で、特定された人物が自身の事務机３２に設定された範囲Ｒ１内に存在するかどうかを判断する。
【０１２６】
ステップＳ６７で“ＮＯ”であれば、図８に示したステップＳ１に戻る。一方、ステップＳ６７で“ＹＥＳ”であれば、ステップＳ６９で、特定人物のユーザ端末３０をユーザ端末３０自身が配置される事務机３２に設定された範囲Ｒ１内に対応する状態に設定して、ステップＳ１に戻る。
【０１２７】
また、図８に示したように、ステップＳ７で“ＮＯ”であれば、図１２に示すステップＳ７１で、スキャンの実行かどうかを判断する。つまり、ＣＰＵ５０は、スキャンの開始が指示されたかどうかを判断する。
【０１２８】
ステップＳ７１で“ＮＯ”であれば、つまり、スキャンの実行でなければ、ステップＳ７５に進む。一方、ステップＳ７１で“ＹＥＳ”であれば、つまり、スキャンの実行であれば、ステップＳ７３で、スキャンを実行して、ステップＳ７５に進む。
【０１２９】
ステップＳ７５では、コピーの実行かどうかを判断する。つまり、ＣＰＵ５０は、コピーの開始が指示されたかどうかを判断する。ステップＳ７５で“ＮＯ”であれば、ステップＳ７９に進む。一方、ステップＳ７５で“ＹＥＳ”であれば、コピーを実行してから、ステップＳ７９に進む。
【０１３０】
ステップＳ７９では、その他の処理を実行して、ステップＳ１に戻る。その他の処理としては、コピーモード、スキャンモード、ファクシミリモードの設定および各モードにおける各種の設定が該当する。コピーモードでは、各種の設定として、コピーの枚数、印字の濃さ、倍率および用紙サイズの設定などが該当する。スキャンモードでは、各種の設定として、原稿サイズ、解像度およびスキャンデータの宛先の設定などが該当する。ファクシミリモードでは、各種の設定として、ファクシミリの宛先および受信データの転送先の設定などが該当する。
【０１３１】
この第１実施例によれば、人物が事務機器（１２、１８、３２）に近づくときに、事務機器（１２、１８、３２）に設定された範囲に応じて画像形成装置１２、裁断機１８およびユーザ端末３０の状態をあるべき状態に設定するので、人物が事務機器（１２、１８、３２）に設定され範囲内を通過するだけで機器の状態が変化されるのを回避し、人物が機器に近づくときには使用可能な状態のようなあるべき状態に設定されるので、画像形成装置１２、裁断機１８およびユーザ端末３０を直接操作しなくても、あるべき状態に設定することができる。つまり、利便性を向上させることができる。また、通過するだけで画像形成装置１２、裁断機１８およびユーザ端末３０の状態が変化されることが無いため、無駄な電力が消費されるのを出来る限り防止することができる。
【０１３２】
また、この第１実施例によれば、床センサ１４の出力に基づいて、人物の位置の一連の変化を検出するので、変化の起点付近に配置される事務机３２からこれを使用する人物を特定し、特定した人物が画像形成装置１２に近づいたときに、特定の人物からの印刷データが保持される場合には、保持された印刷データについての印刷処理を実行するので、ユーザの個人認証を別途行わずに、セキュリティの確保された印刷処理を実行することができる。
【０１３３】
なお、この第１実施例では、情報処理システム１０が適用される環境において、床一面に床センサ１４が敷き詰められた場合について説明したが、これに限定される必要はない。たとえば、図１３に示すように、画像形成装置１２、裁断機１８および事務机３２（ユーザ端末３０）を使用するときに人物を認識できる部分と、人物が環境（部屋）内において画像形成装置１２、裁断機１８および事務机３２（ユーザ端末３０）に向かって移動するときの通路の一部に床センサ１４を設けるようにしてもよい。
【０１３４】
かかる場合には、床センサ１４が設けられていない部分についての人物の位置の変化（移動軌跡）は、床センサ１４が設けられた部分において床センサ１４の出力に基づいて追跡された人物の移動軌跡から補間（推定）される。上述の第１実施例では、人物の位置を検出するとともに、人物が移動する場合の移動方向を算出するため、床センサ１４が設けられていない領域に人物が入ると、最後に算出された移動方向の延長線上に当該人物が存在すると判断する。その後、床センサ１４が設けられた領域に人物が入ったときに、当該人物が延長線上またはその近傍に存在する場合に、床センサ１４が設けられていない部分の移動軌跡が補間される。
【０１３５】
なお、第１実施例では、床センサ１４を設けて、環境内を移動する人物の位置を追跡したり、当該人物を特定したりしたが、これに限定される必要はない。床センサ１４に代えて、環境を俯瞰的に見るように撮影可能な一台または複数台のカメラを天井に設置し、カメラによって撮影される画像に基づいて人物の位置を追跡したり、当該人物を特定したりするようにしてもよい。ただし、かかる場合には、各人物が着用する上着の肩の部分に、各人物を識別可能な図形または文字（数字）を記載しておき、撮影された画像において、これらの図形または文字（数字）を認識することにより、人物が個別に特定することができる。
［第２実施例］
第２実施例の情報処理システム１０は、画像形成装置１２に印刷データのプレビュー画像を表示し、画像形成装置１２に近づく人物に印刷データの内容を報知するようにした以外は、第１実施例と同じであるため、重複した説明は省略する。
【０１３６】
図１４は第２実施例の情報処理システム１０に適用される画像形成装置１２の外観構成の一例を斜め上方から見た斜視図である。図１４に示す画像形成装置１２は、画像形成部７０を含む本体部１０２を含み、本体部１０２の下方に給紙カセットが設けられる。また、本体部１０２の上部（上面）に排紙トレイが設けられ、さらに、その上部に操作部７６および光センサ内蔵液晶表示装置８０が設けられる。この光センサ内蔵液晶表示装置８０は、タッチパネル７２および本体ディスプレイ７４の両方の機能を備える装置である。したがって、光センサ内蔵液晶表示装置８０は、ソフトウェアキーを表示した操作パネルとして機能し、各種の操作画面およびプレビュー画像を表示する表示装置として機能し、原稿をスキャンするスキャナとしても機能する。つまり、光センサ内蔵液晶表示装置８０は、タッチ機能、表示機能、スキャン機能を有している。また、光センサ内蔵液晶表示装置８０の前面側に操作部７６が設けられ、操作部７６の前端面の中央部に撮像装置７８が設けられる。
【０１３７】
図１５は第２実施例の画像形成装置１２に設けられる光センサ内蔵液晶表示装置８０のセンサ内蔵液晶パネルの一部の断面構造を概略的に示す図解図である。図１６は反射像によってタッチ位置を検出する方法を示す図解図である。図１７は影像によってタッチ位置を検出する方法を示す図解図である。
【０１３８】
図１５に示すように、光センサ内蔵液晶表示装置８０は、センサ内蔵液晶パネル（以下、単に「液晶パネル」という）８２およびこの液晶パネル８２の背面側に配置されるバックライト８４を備える。ただし、図１５では、液晶パネル８２のうち、１つの画素に対応する部分についての断面図であり、１つの画素はＲＧＢ（赤緑青）の３つのサブ画素で構成される。図示は省略するが、液晶パネル８２およびバックライト８４は、制御回路によって制御される。
【０１３９】
図１５に示すように、液晶パネル８２は、背面側に配置されるアクティブマトリクス基板８２ａと、表面側に配置される対向基板８２ｂを備え、アクティブマトリクス基板８２ａと対向基板８２ｂの間に液晶層８２ｃを挟持している。
【０１４０】
アクティブマトリクス基板８２ａには、画素電極８００、データ信号線８０２、光センサ８０４、配向膜８０６、偏光板（偏光フィルタ）８０８およびガラス基板８１０などが設けられる。また、対向基板８２ｂには、カラーフィルタ８１２ｒ(赤)、８１２ｇ(緑)、８１２ｂ(青)、遮光膜８１４、対向電極８１６、配向膜８０６、ガラス基板８１０および偏光板８０８などが設けられる。
【０１４１】
このような液晶パネル８２では、画像を表示する場合には、バックライト８４から光が照射され、画素電極８００と対向電極８１６の間に電圧が印加される。電圧が印加されることにより、液晶層８２ｃ内の液晶分子の向き（液晶配向）が変化される。したがって、液晶配向の変化された液晶層８２ｃと２枚の偏光板８０８を含めた全体の透過率が変化され、表示の明るさが変化される。
【０１４２】
また、液晶パネル８２では、原稿をスキャンする場合には、アクティブマトリクス基板８２ａの偏光板８１８上に原稿が載置され、バックライト８４から光が照射される。バックライト８４の光は、偏光板８０８上の原稿によって反射され、この反射光がカラーフィルタ８１２ｒ,８１２ｇ,８１２ｂを通過して光センサ８０４で検出される。したがって、原稿の画像が読み取られる。
【０１４３】
また、液晶パネル８２では、ユーザがタッチした位置（タッチ位置）を検出する場合には、ユーザが指先などで偏光板８０８をタッチすると、ユーザの指先などの反射像が光センサ８０４で検出される。具体的には、図１６に示すように、バックライト８４から照射された光は、ユーザの指などの対象物によって反射される。対象物によって反射された反射光は、光センサ８０４に入射される。このとき、光センサ８０４から出力されるセンサ出力信号のレベルが変動する。センサ出力信号のレベルが所定値（閾値）以上である場合に、対象物が存在することが判断される。そして、対象物が検出された画素の位置に応じて、タッチ位置が検出される。
【０１４４】
さらに、液晶パネル８２は、影像を光センサ８０４で検出することによって、タッチ位置を検出することもできる。液晶パネル８２に含まれる光センサ８０４は、対向基板８２ｂなどを透過した外光を検出することもできる。図１７に示すように、ユーザの指などの対象物がある場合は、外光の入射が妨げられ、光センサ８０４に入射される外光の光量が減る。このため、光センサ８０４から出力されるセンサ出力信号のレベルが変動し、対象物が存在することが判断される。
【０１４５】
なお、光センサ内蔵液晶表示装置８０の電気的な構成および詳細な説明等は、出願人が先に出願し、既に公開された特開２０１０−６２９４０号公報に開示されるため、その説明については省略することにする。
【０１４６】
第２実施例の情報処理システム１０では、画像形成装置１２は、人物が画像形成装置１２自身に近づいてくるとき（向かってくるとき）、人物の視線方向を検出する。そして、画像形成装置１２は、その人物の印刷指示および印刷データを保持している場合に、当該印刷データについての印刷処理を実行するとともに、印刷データのプレビュー画像を光センサ内蔵液晶表示装置８０に表示する。このとき、人物の視線方向に合わせてプレビュー画像を回転させる。第２実施例では、プレビュー画像は、人物が見やすい向きで表示される。具体的には、図１８（Ｂ）に示すように、図１８（Ａ）に示した視線方向と並行であり、プレビュー画像の上が視線方向の先端（矢先）側に配置され、プレビュー画像の下が視線方向の後端（矢尻）側に配置される。
【０１４７】
このため、第２実施例では、上述したように、画像形成装置１２は、デジタルカメラのような撮像装置７８をさらに備える。ただし、撮像装置７８は、ＵＳＢケーブルのような所定のインターフェースを用いて画像形成装置１２に装着されてもよい。
【０１４８】
図１８（Ａ）からも分かるように、撮像装置７８は、画像形成装置１２の前面側の中央に配置される。また、図１４に示したように、撮像装置７８は、画像形成装置１２の上部であり、操作部７６の前端面の中央に設けられる。ただし、撮像装置７８が設けられる位置は一例であり、限定されるべきでない。画像形成装置１２に近づいてくる人物の顔を撮影できれば、他の位置に設けられてもよい。
【０１４９】
なお、撮影画像から人物の顔画像を抽出し、顔画像から人物の視線方向を検出方法は既に公知であり、本願発明の本質的な内容でないため、視線方向を検出する方法の説明は省略する。
【０１５０】
また、プレビュー画像のような画像を任意の角度に従って回転させる画像処理については既に周知であるため、プレビュー画像を回転して表示する方法の説明についても省略する。
【０１５１】
第２実施例によれば、第１実施例の効果に加えて、印刷データのプレビュー画像を、画像形成装置１２に近づいてくる人物に向けて表示するので、プレビュー画像を見ることにより、印刷物が誰のものかを容易に知ることができる。また、プレビュー画像が見易い。このため、人物は画像形成装置１２から少し離れた位置まで近づけば、印刷物が誰のものかを知ることができる。
【０１５２】
なお、第２実施例では、人物の視線を検出して、視線方向に上下方向が一致するようにプレビュー画像を回転させて表示するようにしたが、これに限定される必要はない。人物の位置のみならず、人物の移動方向を検出するようにしてあるため、人物の移動方向に上下方向が一致するようにプレビュー画像を回転させて表示するようにしてもよい。これは、人物が移動する場合には、通常移動方向に視線を向けていると考えられるからである。したがって、かかる場合には、撮像装置７８を設ける必要はない。
［第３実施例］
第３実施例の情報処理システム１０は、サーバ２０をさらに備えるとともに、床センサ１４を画像形成装置１２に代えてサーバ２０に接続し、サーバ２０のＣＰＵ２０ａが図８〜図１２に示した状態制御処理を実行するようにした以外は、第１実施例と同様であるため、重複した説明は省略する。
【０１５３】
図１９は第３実施例の情報処理システム１０の構成の例を示す図解図である。図１９に示すように、第３実施例では、情報処理システム１０は、サーバ２０を備える。サーバ２０は、汎用のサーバであり、ＣＰＵ２０ａ、ＲＡＭ２０ｂおよび通信部２０ｃなどの回路コンポーネントを含む。ＣＰＵ２０ａ、ＲＡＭ２０ｂおよび通信部２０ｃは、画像形成装置１２に含まれるＣＰＵ５０、ＲＡＭ５４および通信部５８とそれぞれ同じであるため、重複した説明は省略する。
【０１５４】
また、床センサ１４が、画像形成装置１２に代えてサーバ２０に接続される。また、サーバ２０は、ネットワーク１６を介して、画像形成装置１２、裁断機１８および複数のユーザ端末３０に接続される。さらに、サーバ２０は、内蔵されるＨＤＤに、人物情報テーブル、事務機器情報テーブルおよび状態情報テーブルを記憶する。ただし、ＨＤＤに代えて、サーバ２０に直接またはネットワーク１６を介して接続されたデータベースに、これらのテーブルを記憶してもよい。
【０１５５】
第３実施例では、サーバ２０（ＣＰＵ２０ａ）が第１実施例で示した状態制御処理（図８〜図１２）に相当する処理を実行する。ただし、第３実施例では、サーバ２０のＣＰＵ２０ａは、人物が画像形成装置１２に近づき、画像形成装置１２に設定された範囲Ｒ２に入った場合には（ステップＳ２５で“ＹＥＳ”またはステップＳ３７で“ＹＥＳ”）、範囲Ｒ２内に対応する状態に設定することを画像形成装置１２に指示する（ステップＳ２７またはステップＳ３９）。
【０１５６】
また、サーバ２０のＣＰＵ２０ａは、人物が画像形成装置１２に近づき、画像形成装置１２に設定された範囲Ｒ１に入った場合には、当該人物からの印刷指示が有るかどうかを画像形成装置１２に問い合わせる（ステップＳ５５）。そして、サーバ２０は、画像形成装置１２から印刷指示が有ることが通知されたことに応じて（ステップＳ５５で“ＹＥＳ”）、画像形成装置１２に印刷処理の開始を指示する（ステップＳ５７）。
【０１５７】
第３実施例においても、第１実施例と同様に、利便性を向上させることができる。また、ユーザの個人認証を別途行わずに、セキュリティの確保された印刷処理を実行することができる。
【０１５８】
なお、上述の各実施例で挙げた画面および具体的な数値等は一例であり、実際の製品に応じて適宜変更することが可能である。また、同じ効果が得られる場合には、フロー図に示した各ステップの順番は適宜変更されてもよい。
【符号の説明】
【０１５９】
１０  …情報処理システム
１２  …画像形成装置
１４  …床センサ
１８  …裁断機
２０  …サーバ
３０  …ユーザ端末
５０  …ＣＰＵ
５４  …ＲＡＭ
５６  …ＨＤＤ
５８  …通信部
７２  …タッチパネル
７４  …本体ディスプレイ
７６  …操作部
７８  …撮像装置
８０  …光センサ内蔵液晶表示装置
【図１】
2018137589.tif 000003
【図２】
2018137589.tif 000004
【図３】
2018137589.tif 000005
【図４】
2018137589.tif 000006
【図５】
2018137589.tif 000007
【図６】
2018137589.tif 000008
【図７】
2018137589.tif 000009
【図８】
2018137589.tif 000010
【図９】
2018137589.tif 000011
【図１０】
2018137589.tif 000012
【図１１】
2018137589.tif 000013
【図１２】
2018137589.tif 000014
【図１３】
2018137589.tif 000015
【図１４】
2018137589.tif 000016
【図１５】
2018137589.tif 000017
【図１６】
2018137589.tif 000018
【図１７】
2018137589.tif 000019
【図１８】
2018137589.tif 000020
【図１９】
2018137589.tif 000021